(57)【要約】  【課題】  【解決手段】  例えば、患者の血圧を測定するために患者の腕に取り付けることができる、あるいは、点滴液バッグに取り付けて患者へ当該点滴液を強制的に注入することができるようにした、膨張可能なスリーブ（２）に与圧する構成であって、このデバイスが更に、スリーブに連結した圧力ゲージ（３）と、ライン（５４，２）を介してスリーブ（２）に連結され、チェックバルブ（３２）を有する空気インレット（３１）を具えるハンドポンプ（３０）とを具え、このデバイスが、また、前記スリーブの内部からガスを制御して放出する手動で動作する空気放出バルブ（５５）を具える。ここで、ボックス（５）はスリーブ（２）と空気放出バルブ（５３）の間のライン（５４，２）に連結されている。ボックス（５）は、ホース（８）によって加圧ガス源（２０）に連結可能であり、このホース（８）は、ボックス（５）の内部に連結しており、チェックバルブ（７）と、圧力ガス源からのガスをボックス（５）を介してスリーブ（２）へ投入する、手動で制御可能なバルブ（６）を介してボックス（５）の内部と連結している。【選択図】    図１
2008503316.tif 000002
【特許請求の範囲】
【請求項１】
膨張可能なスリーブ（２）を与圧するデバイスであって、前記スリーブ（２）に連結した圧力ゲージと、ライン（５２；４）を介して前記スリーブ（２）に連結されており、チェックバルブ（３２）を有する空気インレット（３１）を具えるハンドポンプ（３０）とを具え、更に、前記スリーブ内部からガスを制御して放出する手動で動作可能な空気放出バルブ（５５）を具えるデバイスにおいて、
ボックス（５）が前記スリーブ（２）と前記空気放出バルブ（５３）間で前記ライン（５２，４）に連結されており；前記ボックス（５）がホース（８）によって圧力ガス源（２０）に連結することができ、当該ホース（８）が、前記圧力ガス源から前記スリーブ（２）へ前記ボックス（５）を介してガスを投入するために、チェックバルブ（７）と手動で制御可能なバルブ（６）を介して前記ボックス（５）の内部と連結しており；前記圧力ガス源が病院内のガス分配システム用のアウトレット（２０）を具え、前記ガスが好ましくは加圧呼吸用空気であり；及び、前記圧力ガス源（２０）に連結できる前記ホース（８）が、その中の閉バルブを開き、このバルブによって加圧ガスが前記ホース（８）を流れるように前記アウトレット（２０）と共に動作する連結片（１０）を具える、ことを特徴とするデバイス。
【請求項２】
請求項１に記載のデバイスにおいて、前記圧力ガス源からのガスフローを制限する制限器（９）が前記圧力ガス源と前記ボックス（５）の内部との間のフロー路に連結されていることを特徴とするデバイス。
【請求項３】
請求項１又は２に記載のデバイスにおいて、前記デバイスの内部ガス圧を上昇の意味で予め決められた値に制限する過圧バルブ（５８）を具えることを特徴とするデバイス。
【請求項４】
請求項１乃至３のいずれか１項に記載のデバイスにおいて、前記圧力ガス源からガスを投入する前記バルブ（６）が、閉じた状態にバイアスされていることを特徴とするデバイス。
【請求項５】
請求項１乃至４のいずれかに１項に記載のデバイスにおいて、前記ボックスに関連するチェックバルブ（７）が前記ボックス（５）内に装着されていることを特徴とするデバイス。
【請求項６】
請求項１乃至５のいずれか１項に記載のデバイスにおいて、前記圧力ガス源が、好ましくは加圧呼吸用空気を含有し、患者搬送用車両によって搬送できる圧力ガスボトルであることを特徴とするデバイス。
【請求項７】
請求項１乃至６のいずれか１項に記載のデバイスにおいて、前記スリーブ（２）が患者の血圧を測定するために患者の腕に取り付けるように構成されているか、あるいは、前記スリーブが注入液及び／又は血液を含有するバッグに取り付けて、このバッグを与圧して、前記注入液及び／又は血液を患者内に拡散するよう意図されていることを特徴とするデバイス。
【請求項８】
請求項１乃至７のいずれか１項に記載のデバイスにおいて、前記ボックスがその内部で筒状のゴムブッシュ（８６）がクランプされているインレットチャネルを具え、前記ハンドポンプが、放出可能な伝導アタッチメントとして、前記ゴムブッシュ（８６）の貫通フローチャネル内に押圧可能で、外側に突出した楕円ライン部（９１）を有するアウトレットライン（５３）を具えることを特徴とするデバイス。
【発明の詳細な説明】
【技術分野】
【０００１】
本発明は、請求項１の前文に規定されている類の物体を与圧するデバイスに関する。
【０００２】
米国特許第４０８８１２６号は、請求項１の前文に規定されている類の血圧測定用のデバイスを教示している。ここでは、このデバイスは患者の腕の血流を一時的に阻害する膨張可能なスリーブを具え、このスリーブは圧力ゲージに連結されており、ハンドポンプはラインを介してこのスリーブに連結されており、チェックバルブを有する空気インレットを具える。このデバイスは、又、スリーブからの空気を制御して放出する手動で動作する空気放出バルブを具える。米国特許第４０８８１２６号によれば、電気モータで駆動する圧縮空気ポンプをハンドポンプの空気インレットに接続することができる。電気モータは本管ネットワークに連結されており、オペレータが足で操作できる制御手段を具えている。
【０００３】
病院や、医療ケア環境においては、通常、このデバイスを様々な場所へ容易に移動させることができ、その場所で容易に使用できることが求められている。本管ネットワークに連結された電気ソケットへのアクセスの必要性と、関連するフットスイッチを伴う電気的に駆動する圧縮空気ポンプによる移動の困難が、この公知のデバイスの有用性を制限している。
【０００４】
従って、本発明の目的は、代替として、病院又はケア環境において通常見られる圧縮ガスネットワークからスリーブを膨張させることができるデバイスであって、通常病院の病棟や病室内の多くの場所で使用できる圧縮空気アウトレットを有するデバイスを提供することである。
【０００５】
この目的は、本発明によって達成される。
【０００６】
本発明は、請求項１に規定されている。
【０００７】
本発明の更なる実施例は、請求項において明らかにされる。
【０００８】
本発明は、従来の方法でユーザがハンドポンプを使ってスリーブを膨張させることができる。圧縮ガスアウトレットが使用できる場合、ユーザはプラグを与圧ガスアウトレットに容易に連結して、ボックスの上で対応して手動で動作するバルブの媒体を介してスリーブの膨張を容易にコントロールすることができる。ボックスが圧力ガスアウトレットに連結されていても、ユーザは、所望する場合はハンドポンプを用いてスリーブを与圧することができる。
【０００９】
患者の血圧測定に使用するのに加えて、本発明のデバイスは、例えば、注入剤（点滴液及び／又は血液）を含有するバッグなどのフレキシブル容器を与圧するのに使用することができる。この注入剤は、例えば、バッグに連結され、患者の血管に挿入するカニューラを設けたホースを介してデバイスに設定できる過圧によって、バッグから患者に注入される。
【００１０】
この圧力ガス源は、代替的に、圧力ガスボトルであってもよい。このような圧力ガスボトルは、船の上や、例えば、患者搬送用車両などに置かれており、これによって本発明のデバイスを船の上や、車両内で使用することが可能になる。
【００１１】
患者の腕１の周囲に取り付けられており、圧力ゲージ３に連結された膨張可能なスリーブ２が示されている。手動のバルーンタイプのエアポンプ３０は、チェックバルブ３２を有する空気インレット開口３１を具える。ハンドポンプ３０は、前記スリーブを膨張させるために、ライン３２、ボックス５及びホース４を介してスリーブ２の内部に連結されており、スリーブが腕１の血流を阻害することが可能である。空気放出バルブ３３は、ハンドポンプ３０のアウトレットライン５２に連結されており、手動の可動エレメント５５を具える。このエレメントは、始動するときに、ライン４、ボックス５及びライン５４を介して、アウトレット５５を通って、スリーブ２の内部から空気を開放することができる。
【００１２】
ボックス５は、アウトレット接続部５１を有しており、ここにホース４が連結される。ボックス５は、また、圧力ガス源からボックス５の内部へ圧縮した空気を投入するための手動で制御可能なインレットバルブ６を具える。圧力ガス源は、病院環境に設けられている圧力ガスネットワークであり、壁２１上に設けたアクセス可能なソケットアウトレット２０を有する。このようなアウトレットソケットは、病院の多くの部屋に見ることができる。ホース８には、壁のソケット２０へ差し込むことができるコネクタ１０が設けられている。ホース８はバルブ６に連結している。図に示すように、ホース８は、ガスフローがボックス５の内部へ通過できる上限を設定する制限器を具える。ホース８は、チェックバルブ７を介してバルブ６に連結されている。好ましい位置はボックスの上ではあるが、この制限バルブとチェックバルブ７を、壁のアウトレット２０とボックス５内部との間のフロー路内のその他の場所に設けることができることはこの分野の当業者には自明である。
【００１３】
ボックスは、ボックス内の圧力が所定の値を超えた場合に、ボックス５から自動的に空気を放出するよう機能する緊急バルブ５０を具えていても良い。制限器９を通るフローは、もちろん、緊急バルブ又は安全バルブ５０を通って出てゆくフローより低い。
【００１４】
ホース８の上の連結ピース１０は、壁に装着されたアウトレット２０と相互動作するのに都合よく構成されており、アウトレット２０との係合時に閉バルブを開くようにする。
【００１５】
ホース８は、チェックバルブ８にとりはずし可能に連結することができる。この分野の当業者には、入力バルブ６とチェックバルブ７をボックス５への空気の流入路において場所を換えられることは自明である。圧力ガス源２０は、通常、加圧呼吸用ガスネットワークへのターミナルである。代替的に、圧力ガス源が、圧力ガスボトルを具えていても良い。このような圧力ガスボトルは、車両や船、特に救急車やその他の患者搬送用車両に置かれており、これによって、本発明のデバイスをこのような車両や船の中でも使用することができる。
【００１６】
図２は、点滴液バッグ４０の周囲に設けた膨張可能なスリーブ２を示す図であり、このスリーブは設定可能な過圧で患者内に注入することができる。これは、所定の場合は、例えば、バッグ４０に接続したホース４１を介して、および例えば、このホースに接続された、患者の血管内で受けることができるカニューラ（図示せず）を介して、注入供給を維持するため、あるいは強化するために所望される。
【００１７】
図３は、ポンピングバルーン３０に連結されたバルブ５３を示す図である。このバルブは、細長い、外付の楕円形で長手方向に突出した筒状部９１を具える。ボックス５の壁は、チャネルを具えており、このチャネル内に筒状ゴムブッシュ８６がクランプされる。ブッシュ８６の貫通フローチャネルは、筒状部９１の最大径より小さく、この部分を収納し、これと共に、ブッシュ８６の形状が、ゴムブッシュの能力によって変化し弾性的に変形する。図３に見られるように、ブッシュ８６は、ボックス５の壁から突出している筒状スタッド内に円周方向に延在する内部溝内で軸方向にテンションがかかる。ナット８１が媒体貫通フロー開口の周囲で壁５９の外側にしっかり連結されている。外付のネジ溝付ブッシュ８３が、ナット８１にしっかり螺合されており、その自由端でゴムブッシュ８６を支持している。プラスチックのスリーブ８４が、ブッシュ８３上の外側に配置されており、軸方向においてブッシュを越えて突出して、半径方向に曲げられた端部エッジ８５を具える。ゴムブッシュ８６は、フランジ８５とブッシュ８３の外側端部との間で軸方向にクランプされている。筒状部９１は、ゴムブッシュ８６からとりはずし可能ではあるが、ゴムブッシュ８６内にしっかり収納されており、ブッシュとのきっちりした連結を維持しながらも、ブッシュ内である程度揺動可能である。筒状部９１は、必要があれば、手動で、ブッシュ８６から容易に引き出すことができ、又ブッシュ８６に容易に適合させることができる。
【００１８】
実用上は、スリーブ８４はブッシュ８６と共にボックスの内側に配置することができる。更に、ブッシュを半径方向と軸方向に封入しているスリーブとそのリングエレメントを、例えば、射出成形や、何らかの技術的に同等の方法で、何らかの他のやり方でつくることができる。
【図面の簡単な説明】
【００１９】
本発明のデバイスの特に好ましい実施例を、添付の図面を参照して例示の形で述べる。
【図１】図１は、患者の血圧を測定する目的で患者の上腕に取り付けた本発明にかかるデバイスの概略図である。
【図２】図２は、内容物を患者に注入する注入バックに適用したデバイスを示す図である。
【図３】図３は、デバイスに含まれるボックスとハンドポンプ間の接続を示す図である。
【図１】
2008503316.tif 000003
【図２】
2008503316.tif 000004
【図３】
2008503316.tif 000005
【国際調査報告】
2008503316.tif 000006
2008503316.tif 000007